(57)【要約】      （修正有）【課題】メカ式のローコストタイプの電気炊飯器において玄米を発芽させそのまま炊飯できる電気炊飯器を提供する。【解決手段】メカ式炊飯器の保温ヒーターにサーマルリードスイッチまたはサーモスタット1個を追加し、また、メカ式タイマーにスイッチ1個を追加することによる簡単な回路変更で、白米炊飯、保温コースと玄米を発芽させこの発芽玄米をそのまま炊飯して保温するコースの2種類の炊飯コースが安いコストでできるようにした電気炊飯器である。【選択図】図１
0003110189.tif 000002
【実用新案登録請求の範囲】
【請求項１】
内釜と加熱釜、炊飯用ヒーターと保温用ヒーター、予約炊飯用メカ式タイマー、温度制御手段としてのサーマルリードスイッチ、サーモスタットをそなえたメカ式電気炊飯器において、これらの部品にサーモスタットまたはサーマルリードスイッチとスイッチを各1個追加して簡単な回路変更することにより、メカ式タイマーと保温用ヒーターを共用し、白米炊飯コースと玄米を発芽させそのまま炊飯させるコースの２種類の炊飯コースが簡単に安いコストでできる電気炊飯器。
【請求項２】
内釜内の水温は32℃〜38℃とする。また、内釜と外釜の間に空気層を作ることにより水温は43℃〜45℃でも発芽できるものである。
【考案の詳細な説明】
【技術分野】
【０００１】
本考案は玄米を発芽させそのまま炊飯してしまう電気炊飯器に関する。
【背景技術】
【０００２】
発芽玄米は美容、健康に良いことから発芽させ乾燥させたもの、発芽玄米器で発芽させ（特開平10-117713号広報）炊飯器で炊飯するもの、マイコン式炊飯器で発芽させ炊飯するもの（特開平15-290032号広報）などがある。
【０００３】
本考案は従来よりあるメカ式電気炊飯器の保温ヒーターをサーマルリードスイッチを2個またはサーモスタットを２個にすることにより炊飯後の保温と玄米発芽時の保温の２種類に切り換える。また、メカ式タイマーもスイッチを１個追加して白米炊飯時は予約炊飯タイマーとして、玄米発芽時は発芽時間設定用タイマーとして２種類に切り換えるようにした。部品を共用することにより安価な発芽玄米炊飯器を提供できる。また、発芽させた玄米をそのまま継続して炊飯できるようにした電気炊飯器である。
【０００４】
本電気炊飯器は内釜と加熱釜の間に空気層を作り発芽時の保温をより確実にした。
【０００５】
保温ヒーターは加熱釜の外周に取り付けてある、保温ヒーターの制御は加熱釜に取り付けてあるサーマルリードスイッチ2個にて行なう、炊飯後の保温用として73℃、また玄米発芽用として32℃〜３８℃または４３℃〜45℃のサーマルリードスイッチを使用する。この２個のサーマルリードスイッチはスイッチにて切り換える。
【０００６】
タイマーはスイッチ切り換えにて白米炊飯側のときは1〜12時間後炊飯の予約タイマーとし、玄米発芽時は9〜12時間タイマーとし、この8〜11時間で発芽させ残り1時間になった時点で炊飯用ヒーターが入り炊飯し、炊飯完了後保温ヒーターに切り換わる。
【０００７】
内釜は一般的な炊飯器同様アルミの素材にフッ素樹脂コーティングしたプレス品である。
【実施例】
【０００８】
以下本考案を実施例によって詳述する。
【０００９】
内釜7は加熱釜8の中に入りこの間に空気層を形成している、内釜7の底部には炊飯ヒーター10加熱釜8の外周には保温ヒーター9が取り付けてある。また、この加熱釜8にはサーマルリードスイッチ17、18が設置してある。内釜7の上部には保温ふた5、内ふた3，外ふた2があり密閉される。内釜7の底部はサーモスタット15に接している。これはマイクロスイッチ２０、レバー14、スイッチボタン13に連動していて炊飯スイッチとなる。本体ケースにはタイマー12、切換スイッチ19が取り付けてある。
【００１０】
次に以上の構成における使用方法について説明する。
【００１１】
玄米発芽炊飯コースの場合
【００１２】
本体ケース６前面の切換スイッチ１９を発芽玄米側にする。内釜7によく水洗いした玄米を1〜3合入れる。内釜に適量の水を入れる。蓋をして、タイマーを8〜12時間に合わせる。スイッチボタン１３を「発芽玄米、炊飯」側に押す。内釜７内の水は保温ヒーター９とサーマルリードスイッチ１８により３２〜３８℃または４３〜４５℃に保たれる。これは１１時間保たれ、その後炊飯スイッチがはいる。これで約12時間後に発芽した玄米の炊飯が完了し、保温される。
【００１３】
臭いが気になる場合
【００１４】
タイマーが炊飯に入る前に内釜７を取り出し、玄米を水洗いし内釜７の水を新しくする。
【００１５】
または、発芽、炊飯時の内釜７に竹炭等の炭を入れる、竹炭の消臭、殺菌、遠赤外線効果で玄米発芽時の臭い、雑菌の繁殖を防ぐ。
【００１６】
または、発芽、炊飯時の内釜７に麦飯石をいれる。
【００１７】
または、発芽、炊飯時の内釜７に酸化チタン触媒を入れる。
【００１８】
炊飯コースの場合
【００１９】
本体ケース６前面の切換スイッチ１９を白米炊飯側にする。内釜に良く水洗いした白米を1〜3合入れる。内釜７に適量の水を入れる。そのまますぐに炊飯する場合はスイッチボタンを「発芽玄米、炊飯」側に押す。予約炊飯する場合は、スイッチボタンを「発芽玄米、炊飯」側に押した後タイマーツマミ１２を回し炊飯したい希望の時間に合わせる。希望の時間後に炊飯が完了し、保温される。
【００２０】
白米炊飯コースでは白米の他、市販の発芽玄米、胚芽米、炊き込み御飯、おこわ、おかゆ等の炊飯ができる。
【図面の簡単な説明】
【００２１】
【図１】本考案の断面図
【図２】同じく回路図
【図３】変更前回路図
【符号の説明】
【００２２】
１    ハンドル
２    外ふた
３    内ふた
４    蒸気口
５    保温ふた
６    本体ケース
７    内釜
８    加熱釜
９    保温ヒーター    
１０    炊飯ヒーター
１１    タイマー
１２    タイマーツマミ
１３    スイッチボタン
１４    レバー
１５    サーモスタット
１６    電源コード
１７    サーマルリードスイッチ1
１８    サーマルリードスイッチ2
１９    切換スイッチ
２０    マイクロスイッチ
【図１】
0003110189.tif 000003
【図２】
0003110189.tif 000004
【図３】
0003110189.tif 000005
【手続補正書】
【提出日】平成16年11月10日(2004.11.10)
【手続補正１】
【補正対象書類名】実用新案登録請求の範囲
【補正対象項目名】全文
【補正方法】変更
【補正の内容】
【実用新案登録請求の範囲】
【請求項１】
内部に加熱釜を備えた外装体とこの加熱釜内に収容される内釜からなり、外装体内の加熱釜には内釜を加熱するための炊飯用ヒーターと保温用ヒーター、内釜内の温度を制御する玄米発芽時の保温用と炊飯後保温用の２個のサーマルリードスイッチを備えている。外装体には白米予約炊飯時間と発芽時間が設定できるメカ式タイマーと２個のサーマルリードスイッチを切り換えるための発芽スイッチを備えている。発芽スイッチOFFの場合、白米予約炊飯機能となり、タイマー動作中はヒーター切、タイマー時間０で炊飯用ヒーター入となり、白米は炊飯され、その後保温になる。この保温は炊飯後保温用サーマルリードスイッチにより約73℃に制御される。発芽スイッチONの場合、玄米発芽炊飯タイマー機能となり、タイマー動作中は保温ヒーター入となる。この保温は玄米発芽時保温用のサーマルリードスイッチにより30℃〜36℃に制御される、発芽した内釜内の玄米はタイマー時間０で炊飯ヒーター入となり、発芽した玄米は炊飯、保温される、この保温は約73℃に制御される。発芽スイッチをONすることによりタイマーの動作時間内は保温ヒーターが発芽用サーマルリードスイッチにより制御され、炊飯開始前の内釜内温度を一定の発芽温度に維持する発芽機能を追加したことを特徴とする電気炊飯器。
【請求項２】
発芽時内釜内の水温は30℃〜36℃に設定したことを特徴する請求項１に記載の電気炊飯器。
【手続補正書】
【提出日】平成17年2月10日(2005.2.10)
【手続補正１】
【補正対象書類名】実用新案登録請求の範囲
【補正対象項目名】全文
【補正方法】変更
【補正の内容】
【実用新案登録請求の範囲】
【請求項１】
内部に加熱釜を備えた外装体とこの加熱釜内に収容される内釜からなり、外装体内の加熱釜には内釜を加熱するための炊飯用ヒーターと保温用ヒーター、内釜内の温度を制御する玄米発芽時の保温用サーマルリードスイッチと炊飯後保温用のサーマルリードスイッチの２個のサーマルリードスイッチを備えていることを特徴とする電気炊飯器。
【請求項２】
玄米発芽時、内釜内の水温は30℃〜36℃に設定したことを特徴する請求項１に記載の電気炊飯器。